(57)【要約】【課題】移動可能なパネルに表示装置を取り付けることができるようにする。【解決手段】キャビネット１の前方に設けられた、着脱可能なオープンパネル７に、各種の情報を表示する表示装置１２が設けられ、キャビネット１に、表示装置１２を動作させる表示制御装置１３が設けられる。表示装置１２と表示制御装置１３とは機械的かつ電気的に接続されておらず、表示制御装置１３は、表示装置１２に非接触給電を行い、表示装置１２と無線通信を行って表示装置１２を遠隔制御する。【選択図】図３
2015148430.tif 000002
【特許請求の範囲】
【請求項１】
電装部品を収容するキャビネットの前方に、移動可能なオープンパネルが設けられた空気調和機であって、オープンパネルに、各種の情報を表示する表示装置が設けられ、キャビネットに、表示装置を動作させる表示制御装置が設けられ、表示装置と表示制御装置とは機械的かつ電気的に接続されておらず、表示制御装置は、表示装置を遠隔制御することを特徴とする空気調和機。
【請求項２】
表示制御装置は、表示装置に非接触給電を行うことを特徴とする請求項１記載の空気調和機。
【請求項３】
表示制御装置は、表示装置と無線通信を行って表示装置を制御することを特徴とする請求項１または２記載の空気調和機。
【請求項４】
表示装置は、給電のオンオフにより制御され、給電がオンされると、表示装置は点灯し、給電がオフされると、表示装置は消灯することを特徴とする請求項１または２記載の空気調和機。
【請求項５】
開閉可能とされたオープンパネルがキャビネットから遠ざかるように開いたとき、キャビネットに近い位置にあるオープンパネルの一部に表示装置の受電部が配置され、表示制御装置の給電部は、オープンパネルが閉じたときに受電部に対向する位置に配置されることを特徴とする請求項１〜４のいずれかに記載の空気調和機。
【発明の詳細な説明】
【技術分野】
【０００１】
本発明は、運転状況などの情報を表示する表示装置を備えた空気調和機に関する。
【背景技術】
【０００２】
空気調和機の室内機には、運転状況や室温などの各種の情報を表示する表示装置が設けられている。例えば、特許文献１には、表示装置の視認性をよくするために、キャビネットの前面に位置する可動パネルに表示装置が設けられたことが記載されている。
【０００３】
可動パネルは、キャビネットに対して前後方向に移動可能とされる。表示装置を制御する制御部がキャビネットに設けられ、制御部は表示装置とリード線を介して電気的に接続される。リード線は、スライドするケースに折り曲げられて収容されている。このように、リード線やケースなどにより、移動可能なパネルに設けられた表示装置は、キャビネットに設けられた制御部に電気的かつ機械的に接続される。そして、制御部から電力が供給されるとともに制御信号が送られてくると、表示装置は動作して、所定の表示を行う。
【先行技術文献】
【特許文献】
【０００４】
【特許文献１】特開２０１０−４８４９１号公報
【発明の概要】
【発明が解決しようとする課題】
【０００５】
上記のように、キャビネットの前方に位置するパネルに表示装置が設けられることにより、視認性は向上する。しかし、パネルが移動可能であるので、表示装置と制御部とを接続するリード線をフレキシブルな状態で保持しなければならない。そのため、複数の部品が必要となり、しかも配線などの取付作業が煩わしくなる。
【０００６】
また、パネルがキャビネットに対して着脱可能であるとき、ユーザがパネルを外すためには、リード線も外さなければならない。そのため、パネルの着脱に手間がかかる。
【０００７】
本発明は、上記に鑑み、移動可能なパネルに表示装置を取り付けることができる空気調和機の提供を目的とする。
【課題を解決するための手段】
【０００８】
本発明の空気調和機は、電装部品を収容するキャビネットの前方に、移動可能なオープンパネルが設けられたものであって、オープンパネルに、各種の情報を表示する表示装置が設けられ、キャビネットに、表示装置を動作させる表示制御装置が設けられ、表示装置と表示制御装置とは機械的かつ電気的に接続されておらず、表示制御装置は、表示装置を遠隔制御する。
【０００９】
オープンパネルは、キャビネットから取り外されたり、開閉されたりして、キャビネットに移動可能とされる。このオープンパネルに設けられた表示装置は、キャビネットに設けられた表示制御装置とは機械的かつ電気的に接続されていないので、表示装置はキャビネットとは完全に分離している。したがって、表示装置を移動可能なオープンパネルに取り付けることができ、オープンパネルをキャビネットから取り外すのに何ら支障を来さない。
【００１０】
表示制御装置は、表示装置に非接触給電を行うようにしてもよい。このような構成にすれば、非接触で表示装置に給電できるので、リード線が不要となり、表示装置のフレキシブルなレイアウトを実現できる。
【００１１】
表示制御装置は、表示装置と無線通信を行って表示装置を制御するようにしてもよい。このような構成にすれば、表示装置がキャビネットから離れていても、無線通信により表示装置を遠隔で動作させることができる。
【００１２】
表示装置は、給電のオンオフにより制御され、給電がオンされると、表示装置は点灯し、給電がオフされると、表示装置は消灯するようにしてもよい。このような構成にすれば、給電のオンオフをスイッチ代わりに利用でき、シンプルな表示装置を実現できる。
【００１３】
開閉可能とされたオープンパネルがキャビネットから遠ざかるように開いたとき、キャビネットに近い位置にあるオープンパネルの一部に表示装置の受電部が配置され、表示制御装置の給電部は、オープンパネルが閉じたときに受電部に対向する位置に配置されるようにしてもよい。このような構成にすれば、オープンパネルがキャビネットに対して遠ざかるように移動しても、給電部から受電部までの距離が短くなる。これにより、安定して遠隔制御を行える。
【発明の効果】
【００１４】
本発明によると、パネルの表示装置とキャビネットの表示制御装置とを機械的かつ電気的に分離できるので、移動可能なパネルに表示装置を取り付けることができる。
【図面の簡単な説明】
【００１５】
【図１】第１の実施形態のオープンパネルに表示装置を設けた室内機の斜視図
【図２】オープンパネルが閉じている室内機の断面図
【図３】オープンパネルが取り外された室内機の断面図
【図４】第１の実施形態の空気調和機の制御ブロック図
【図５】第２の実施形態の空気調和機の制御ブロック図
【図６】第３の実施形態の開閉可能なオープンパネルに表示装置を設けた室内機の斜視図
【図７】オープンパネルが閉じている室内機の断面図
【図８】オープンパネルが開いている室内機の断面図
【図９】他の形態のオープンパネルが開いている室内機の断面図
【図１０】第４の実施形態の前面パネルに表示装置を設けた室内機の斜視図
【図１１】前面パネルが開いた室内機の斜視図
【図１２】前面パネルが閉じている室内機の断面図
【図１３】前面パネルが開いた室内機の断面図
【発明を実施するための形態】
【００１６】
（第１の実施形態）
本実施形態の空気調和機は、室内機と室外機とを有するセパレート型である。図１に示すように、室内機は、室内熱交換器および室内ファンを収容するキャビネット１を備え、キャビネット１は、室内の壁の上部に取り付けられる。
【００１７】
キャビネット１の上面に、吸込口２が形成される。キャビネット１の前面から底面にかけての湾曲面に吹出口３が形成される。図２に示すように、キャビネット１に、吹出口３を覆う前面パネル４が設けられ、前面パネル４は、キャビネット１に対して移動可能とされる。
【００１８】
前面パネル４は、上下の支軸５、６を中心にして上下両開き可能とされる。各支軸５、６は、キャビネット１の左右方向の両側に位置する。前面パネル４が上開きするとき、前面パネル４は下側の支軸６周りに回動する。前面パネル４が下開きするとき、前面パネル４は上側の支軸５周りに回動する。
【００１９】
図３に示すように、キャビネット１の前面に、オープンパネル７が移動可能に設けられる。オープンパネル７は、キャビネット１に対して着脱可能とされ、かつ上軸を中心にして開閉可能とされる。オープンパネル７が取り外される、あるいは開かれると、キャビネット１の前面の上部が露出し、キャビネット１に内装されているフィルタの交換を行える。
【００２０】
空気調和機の図示しない室外機は、室内機と配管および配線により接続される。室外機は、圧縮機、四方弁、室外熱交換器、膨張弁、室外ファンを備える。圧縮機、四方弁、室外熱交換器、膨張弁、室内熱交換器により冷凍サイクルが形成される。
【００２１】
図４に示すように、空気調和機は、冷凍サイクルを制御して、冷房運転モード、暖房運転モード、除湿運転モードなどの空調運転を行う制御装置１０を備えている。ＣＰＵ、ＲＯＭ、ＲＡＭから構成される制御装置１０などの電装部品は、図２，３に示す電装ボックス１１に収容される。電装ボックス１１は、キャビネット１に収容される。キャビネット１の左右方向の一側、ここでは右側に、電装ボックス１１が設置される。
【００２２】
また、空気調和機は、各種の情報を表示する表示装置１２と、表示装置１２を動作させる表示制御装置１３とを備えている。表示装置１２は、オープンパネル７に設けられ、表示制御装置１３は、キャビネット１に設けられる。ここで、表示装置１２と表示制御装置１３とは機械的かつ電気的に接続されていない。すなわち、表示装置１２と表示制御装置１３との間には、接続部材などの機械的に接続する部材やリード線のような電気的に接続する部材が全くない。このように、オープンパネル７にある表示装置１２は表示制御装置１３のあるキャビネット１から完全に分離しているので、オープンパネル７の着脱において、表示装置１２は何ら影響せず、手間をかけずにオープンパネル７を着脱することができる。
【００２３】
離れた表示装置１２を遠隔制御するために、表示制御装置１３は、表示装置１２に対して非接触給電を行う。非接触給電として、電磁誘導方式、電波方式、電界共鳴方式のうち、いずれかの非接触給電方式が用いられる。また、表示制御装置１３と表示装置１２とは双方向に無線通信を行い、表示制御装置１３は、表示装置１２に制御信号を送信して、表示装置１２を制御する。無線通信方式として、赤外線や可視光などの光無線通信、無線ＬＡＮ、特定省電力無線、ブルートゥース（登録商標）、ＺｉｇＢｅｅ（登録商標）などの近距離無線通信方式が用いられる。
【００２４】
表示制御装置１３は、表示装置１２の動作を制御する制御部１５と、電力を伝送するための給電部１６と、表示装置１２と無線通信を行う通信部１７とを有する。表示装置１２は、表示を行う表示部２０と、表示部２０を動作させる駆動部２１と、給電部１６から伝送された電力を受電する受電部２２と、表示制御装置１３と無線通信を行う通信部２３とを有する。
【００２５】
表示制御装置１３の制御部１５、給電部１６および通信部１７は、ユニット化されて、オープンパネル７に対向するようにキャビネット１の前面に設けられる。制御部１５はリード線により電装ボックス１１内の制御装置１０に接続される。
【００２６】
表示装置１２の表示部２０、駆動部２１、受電部２２および通信部２３は、ユニット化されて、キャビネット１に設けられた給電部１６に対向するようにオープンパネル７に設けられる。表示部２０は外部から視認できるようにオープンパネル７の前面に配置される。
【００２７】
表示制御装置１３の給電部１６は、使用される非接触給電方式に対応したコイル、アンテナ、コンデンサなどを有する。通信部１７は、使用される無線通信方式に対応した通信モジュールからなる。マイコンからなる制御部１５は、制御装置１０からの指令により、表示装置１２を動作させる。なお、表示制御装置１３は、電装ボックス１１内に設けられた電源部２５から供給される電力によって動作する。
【００２８】
表示装置１２の受電部２２は、使用される非接触給電方式に対応したコイル、アンテナ、コンデンサなどを有する。通信部２３は、使用される無線通信方式に対応した通信モジュールからなる。表示部２０は、液晶、有機ＥＬなどのディスプレイからなる。あるいは複数のＬＥＤを組み合わせたものであってもよい。受電部２２は、伝送されてきた電力を駆動部２１、通信部２３、表示部２０に供給する。表示コントローラなどからなる駆動部２１は、供給された電力により動作する。
【００２９】
空気調和機の運転が可能なとき、オープンパネル７はキャビネット１に取り付けられている。このとき、表示装置１２と表示制御装置１３とは近接しているので、表示装置１２の遠隔制御が可能となる。
【００３０】
空気調和機の制御装置１０は、室温などの周囲の状況を監視し、空調運転の状況も監視している。そこで、制御装置１０は、これらの状況に応じた情報を表示させる。制御装置１０は、表示制御装置１３に現在の状況に応じた情報を表示させるように指令を行う。表示制御装置１３の制御部１５は、給電部１６を駆動して、表示装置１２に電力を伝送する。また、制御部１５は、通信部１７を通じて制御信号を表示装置１２に送信する。
【００３１】
表示装置１２では、受電部２２は、伝送された電力を表示装置１２の各部に供給する。通信部２３は、表示制御装置１３からの制御信号を受信し、駆動部２１は、制御信号を受け取ると、制御信号に基づいて画像信号を生成し、画像信号を表示部２０に出力する。表示部２０は、画像信号に応じた画像を表示する。表示部２０に、現在の室温、外気温といった情報が表示される。また、空調運転が行われているときには、運転状況に関する情報が表示される。
【００３２】
オープンパネル７がキャビネット１から取り外されると、表示装置１２は表示制御装置１３から離れる。非接触給電方式によって電力を伝送できる伝送距離が規定される。表示装置１２の受電部２２がキャビネット１から伝送距離以上離れると、電力が伝送されなくなり、表示装置１２は動作不能となる。受電部２２が伝送距離以内にあるとき、表示装置１２は動作可能となる。
【００３３】
このように、キャビネット１から完全に独立して、表示装置１２を設けることができるので、キャビネット１側の部品からの制約がなくなり、表示部２０の配置や大きさの自由度が増す。そこで、表示部２０を大型化することが可能となり、ユーザは遠くからでも情報を見やすくなる。
【００３４】
（第２の実施形態）
第２の実施形態の空気調和機では、表示装置１２は、無線通信により制御される代わりに、給電のオンオフにより制御される。すなわち、図５に示すように、表示装置１２は、受電部２２と、ＬＥＤなどのランプからなる点灯、点滅を行う表示部２０とを有する。この表示部２０は、給電されると、動作して点灯する。給電が停止されると、表示部２０は消灯する。表示制御装置１３は、給電部１６と、給電部１６をオンオフする制御部１５とを有する。表示装置１２および表示制御装置１３は通信部を有しておらず、その他の構成は、第１の実施形態と同じである。
【００３５】
空調運転時には、表示制御装置１３の制御部１５は、給電をオンする。表示装置１２は受電すると、表示部２０が、動作して点灯する。空調運転が停止すると、制御部１５は、給電をオフする。表示装置１２への給電が停止されると、表示部２０は、動作を停止し、消灯する。
【００３６】
空気調和機に関する情報を報知する事態が生じたとき、給電がオンオフされる。例えば、空気調和機に異常が発生したとき、あるいはメンテナンスが必要な時期が来たとき、制御部１５は、給電をオンオフする。表示部２０は、給電のオンオフに応じて点滅する。また、空調運転中にサーモオフによって一時的に運転が停止するような場合にも、制御部１５は、給電をオンオフする。表示部２０は点滅する。ここで、報知する情報に応じて点滅するタイミングが変えられる。例えば、緊急を要する情報の場合には、点滅速度が早くされる。このように、通信部を不要にすることにより、表示装置１２の低コスト化を図れる。
【００３７】
（第３の実施形態）
第３の実施形態の空気調和機では、オープンパネル７がキャビネット１に開閉可能に設けられ、表示装置１２がオープンパネル７に設けられる。その他の構成は、第１の実施形態と同じである。なお、前面パネル４の代わりに、回動可能なルーバ３０が設けられる。
【００３８】
図６〜８に示すように、キャビネット１の前面に吸込口３１が形成され、オープンパネル７は吸込口３１を覆うようにキャビネット１に取り付けられる。オープンパネル７は下軸３２周りに回動し、オープンパネル７が開くと、オープンパネル７の上部がキャビネット１から遠ざかるように移動し、吸込口３１が現れる。
【００３９】
表示制御装置１３の給電部１６および表示装置１２の受電部２２は、下軸３２の近傍にそれぞれ配置される。表示部２０の位置は、オープンパネル７の前面の任意の位置とされ、駆動部２１および表示部２０は受電部２２にリード線を介して接続される。
【００４０】
図７に示すように、オープンパネル７が閉じているとき、キャビネット１に設けられた給電部１６とオープンパネル７に設けられた受電部２２とは近接している。給電部１６から受電部２２に電力が伝送され、表示装置１２は、制御装置１０に指示された情報を表示する。
【００４１】
図８に示すように、オープンパネル７が開いたとき、オープンパネル７の受電部２２は、キャビネット１から離れる。キャビネット１に近い位置にあるオープンパネル７の下部に受電部２２が配置されることにより、オープンパネル７が開いても、給電部１６と受電部２２との距離を伝送距離以内まで短くでき、電力を伝送することが可能となる。これにより、オープンパネル７が閉じているときだけでなく、オープンパネル７が開いているときでも、表示部２０に情報を表示することができる。
【００４２】
なお、上記のオープンパネル７は下軸３２周りに回動して開閉する構造であるが、オープンパネル７がキャビネット１から遠ざかるように移動して、吸込口３１を開閉する構造であってもよい。例えば、図９に示すように、オープンパネル７が水平移動して、吸込口３１を開閉する構造とされる。オープンパネル７を水平移動させる機構は、リンク機構、ラックピニオン機構などを用いた公知の機構とされる。この場合、受電部２２と給電部１６とは対向するように配置される。オープンパネル７はキャビネット１に対して平行に移動するので、受電部２２と給電部１６とは常に対向している。このようなオープンパネル７が開いたとき、非接触給電により電力が表示装置１２に伝送され、表示部２０に情報が表示される。ただし、オープンパネル７が最大に開いたときでも、給電部１６と受電部２２との距離は伝送距離以内とされる。
【００４３】
また、オープンパネル７は水平方向にキャビネット１に対して平行に移動するだけでなく、オープンパネル７が傾くように移動する構造であってもよい。すなわち、オープンパネル７の上部の移動距離と下部の移動距離が異なるように、オープンパネル７がキャビネット１から遠ざかるように移動する。このとき、キャビネット１に近い位置にあるオープンパネル７の上部あるいは下部に受電部２２が配置され、給電部１６は、オープンパネル７が閉じたときに受電部２２に対向する位置に配置される。オープンパネル７の上部の移動距離が下部の移動距離より大きい場合、オープンパネル７が開いたとき、オープンパネル７の前面が斜め下方向を向き、オープンパネル７の表示が見やすくなる。
【００４４】
（第４の実施形態）
第４の実施形態の空気調和機では、表示装置１２が前面パネル４に設けられる。開閉可能な前面パネル４は、上下風向変更板の役割を果たしている。このように移動可能な前面パネル４に、キャビネット１の表示制御装置１３から完全に分離された表示装置１２を取り付けてもよい。その他の構成は、第１の実施形態と同じである。
【００４５】
図１０、１１に示すように、開閉する前面パネル４は、支軸５，６周りに回動するが、通常は着脱されない。そこで、給電部１６および受電部２２は、上側の支軸５の近傍にそれぞれ配置される、あるいは下側の支軸６の近傍にそれぞれ配置される。表示部２０の位置は、前面パネル４の前面の任意の位置とされ、駆動部２１および表示部２０は受電部２２にリード線を介して接続される。
【００４６】
図１２に示すように、前面パネル４が閉じているとき、キャビネット１に設けられた給電部１６と前面パネル４に設けられた受電部２２とは近接している。給電部１６から受電部２２に電力が伝送され、表示装置１２は、制御装置１０に指示された情報を表示する。
【００４７】
図１３に示すように、前面パネル４が開いたとき、前面パネル４の受電部２２は、キャビネット１から離れる。受電部２２が前面パネル４のキャビネット１寄りに設けられることにより、給電部１６と受電部２２との距離を伝送距離以内まで短くでき、電力を伝送することが可能となる。これにより、前面パネル４が閉じているときだけでなく、前面パネル４が開いているときでも、表示部２０に情報を表示することができる。
【００４８】
ここで、前面パネル４が上下両開き可能な場合、前面パネル４が下開きしたとき、前面パネル４の前面は上側を向き、風向きは斜め下方向から下方向となる。ユーザは、前面パネル４の前面を見ることができない、あるいは見にくい。前面パネル４が上開きしたとき、前面パネル４の前面は下側を向き、風向きは水平方向から斜め上方向となる。ユーザは、前面パネル４の表示部２０を見ることができる。そこで、給電部１６および受電部２２は、下側の支軸６の近傍に設けるのが好ましい。前面パネル４が開いているとき、給電を確実に行うことができる。開いた前面パネル４の表示部２０に情報が表示されると、ユーザは表示された情報を確認することができる。
【００４９】
（第５の実施形態）
第５の実施形態の空気調和機は、空気調和機に関する情報だけでなく、各種の情報を表示する。その他の構成は、第１、第３、第４の実施形態と同じである。
【００５０】
空気調和機の制御装置１０は、予め決められた時期になると、表示制御装置１３にイベント情報を表示するように指令する。表示制御装置１３の制御部１５は、イベント情報に応じた制御信号を通信部１７を通じて表示装置１２に送信する。表示装置１２の駆動部２１は、受け取った制御信号に応じて生成した画像信号を表示部２０に出力する。表示部２０は、画像信号に基づいてイベント情報を表示する。
【００５１】
例えば、正月、クリスマス、祝祭日などのイベントの日になると、イベントに応じた画像が表示される。今日が何の日かを知らせることができる。このようなイベントの日は、ユーザが予め設定しておく。あるいは、制御装置１０が有するカレンダ機能を利用して、自動的にイベントの日を検出してもよい。
【００５２】
また、ユーザが日時とイベントの内容を設定してもよい。設定された日時になると、設定したイベント情報が表示される。例えば、予定行事が設定されると、決められた日時になると、予定行事を知らせるイベント情報が表示され、ユーザは予定があることを認識する。
【００５３】
（第６の実施形態）
第６の実施形態の空気調和機では、表示装置１２に対して非接触給電を行う代わりに、表示装置１２は、自己電源を有する。すなわち、表示制御装置１３には給電部がなく、表示装置１２には受電部がない。表示装置１２は、太陽電池、熱電変換素子などの発電部と、発電された電力を貯める蓄電池と、通信部２３と、駆動部２１とを備え、自己電源である発電部によって得られた電力により表示装置１２は動作する。表示制御装置１３は、通信部１７と制御部１５とを備え、無線通信により表示装置１２を遠隔制御する。その他の構成は、上記の各実施形態と同じである。
【００５４】
表示装置１２が設けられるオープンパネル７あるいは前面パネル４がキャビネット１から離れていても、表示装置１２と表示制御装置１３との距離が無線通信可能な距離であれば、表示装置１２を遠隔制御することができる。したがって、ユーザの身近にパネルがあるとき、表示装置１２は自己電源を有しているので、このパネルに情報を表示させることが可能となる。なお、発電部および充電池の代わりに、一次電池を用いてもよい。
【００５５】
以上の通り、本発明の空気調和機は、電装部品を収容するキャビネット１の前方に、移動可能なオープンパネル７が設けられたものであって、オープンパネル７に、各種の情報を表示する表示装置１２が設けられ、キャビネット１に、表示装置１２を動作させる表示制御装置１３が設けられ、表示装置１２と表示制御装置１３とは機械的かつ電気的に接続されておらず、表示制御装置１３は、表示装置１２を遠隔制御する。
【００５６】
表示装置１２をキャビネット１の表示制御装置１３から分離させることができるので、移動可能なオープンパネル７に表示装置１２を取り付けることができる。
【００５７】
表示制御装置１３は、表示装置１２に非接触給電を行う。すなわち、表示制御装置１３は、電力を伝送するための給電部１６と、表示装置１２の動作を制御する制御部１５とを有する。表示装置１２は、伝送された電力を受電する受電部２２と、表示を行う表示部２０と、表示部２０を動作させる駆動部２１とを有する。これにより、表示装置１２がキャビネット１から離れていても、表示装置１２を動作させることができる。
【００５８】
表示制御装置１３は、表示装置１２と無線通信を行って表示装置１２を制御する。すなわち、表示制御装置１３は、無線通信を行う通信部１７と、表示装置１２の動作を制御する制御部１５とを有する。表示装置１２は、表示を行う表示部２０と、無線通信を行う通信部２３と、表示部２０を動作させる駆動部２１とを有する。これにより、離れた表示装置１２を遠隔制御することができる。
【００５９】
表示装置１２は、給電のオンオフにより制御され、給電がオンされると、表示装置１２は点灯し、給電がオフされると、表示装置１２は消灯する。給電のオンオフにより、表示装置１２を遠隔制御することができる。この場合、表示制御装置１３は、給電部１６と、給電部１６をオンオフする制御部１５とを有する。表示装置１２は、表示部２０と受電部２２とを有する。
【００６０】
開閉可能とされたオープンパネル７がキャビネット１から遠ざかるように開いたとき、キャビネット１に近い位置にあるオープンパネル７の一部に表示装置１２の受電部２２が配置され、表示制御装置１３の給電部１６は、オープンパネル７が閉じたときに受電部２２に対向する位置に配置される。オープンパネル７が開いたとき、給電部１６と受電部２２とは近接しているので、表示装置１２に給電を行える。
【００６１】
例えば、開閉可能とされたオープンパネル７が支軸周りに開閉する場合、表示制御装置１３の給電部１６および表示装置１２の受電部２２が支軸の近傍にそれぞれ配置される。また、開閉可能とされたオープンパネル７がキャビネット１から遠ざかるように水平方向に移動して開閉する場合において、オープンパネル７の上部の移動距離と下部の移動距離とが異なるとき、受電部２２は、移動距離が短い方である上部あるいは下部に配置にされる。
【００６２】
表示装置１２は、決められた時期にイベント情報を表示する。空気調和機に関する情報だけでなく、ユーザに多様な情報を提供することができ、空気調和機の利用価値を高めることができる。
【００６３】
表示装置１２は、自己電源を備え、表示制御装置１３は、表示装置１２と無線通信を行って表示装置１２を制御する。無線通信により表示制御装置１３が表示装置１２を遠隔制御すると、自己電源によって動作する表示装置１２は情報を表示する。
【００６４】
なお、本発明は、上記実施形態に限定されるものではなく、本発明の範囲内で上記実施形態に多くの修正および変更を加え得ることは勿論である。表示部２０として、液晶や有機ＥＬなどのディスプレイとＬＥＤなどのランプを組み合わせて、複数の表示部２０としてもよい。また、各表示部２０に対して、それぞれ受電部２２を設けて、別々に給電してもよい。このとき、ランプからなる表示部２０は、給電のオンオフにより制御される。
【００６５】
非接触給電では、電力の伝送効率は距離が長くなるほど低下する。オープンパネル７がキャビネット１から離れているとき、受電する電力は低くなる。そこで、取り外されていたオープンパネル７がキャビネット１に装着されたとき、表示装置１２は、伝送された電力に基づいてオープンパネル７が正しく装着されたかを確認する。
【００６６】
表示装置１２に、伝送された電力を検出する検出部が設けられる。検出部は、検出した電力値が所定値以上のとき、オープンパネル７が閉じていると判断する。このとき、駆動部２１は、何も表示しないように表示部２０を動作させる。検出した電力値が所定値より低いとき、検出部は、オープンパネル７が閉じていないと判断する。このとき、駆動部２１は、正しく装着されていないことの警告を表示するように表示部２０を動作させる。表示部２０は、警告を報知する。これにより、オープンパネル７がキャビネット１に正しく装着されていない場合、このことを知らせることができる。
【符号の説明】
【００６７】
１    キャビネット
４    前面パネル
７    オープンパネル
１０    制御装置
１２    表示装置
１３    表示制御装置
１５    制御部
１６    給電部
１７    通信部
２０    表示部
２１    駆動部
２２    受電部
２３    通信部
【図１】
2015148430.tif 000003
【図２】
2015148430.tif 000004
【図３】
2015148430.tif 000005
【図４】
2015148430.tif 000006
【図５】
2015148430.tif 000007
【図６】
2015148430.tif 000008
【図７】
2015148430.tif 000009
【図８】
2015148430.tif 000010
【図９】
2015148430.tif 000011
【図１０】
2015148430.tif 000012
【図１１】
2015148430.tif 000013
【図１２】
2015148430.tif 000014
【図１３】
2015148430.tif 000015